(57)【特許請求の範囲】
【請求項１】
払拭具と、払拭具に取り付けられる柄とから構成され、
前記柄は、その先端部に両側方向に突出する取り付け軸を有し、
前記払拭具には、板状の台座が取り付けられ、この台座はその板面から対向して突出する対の軸受を有し、この対の軸受の対向面のそれぞれには軸穴が形成され、
この軸穴に前記取り付け軸の両端部をはめ込むことにより、柄を払拭具に対して着脱可能かつ回動可能に取り付ける柄付き払拭具において、
前記取り付け軸の外面に抜け止め片を設け、前記軸受の対向面のそれぞれに、軸受周面から軸穴にかけて連通する取り付け軸の差込溝を形成し、
上記抜け止め片は、取り付け軸の端面を柄の厚み方向に二等分してその一方に半円柱状に突出形成され、
上記差込溝は上記台座の板面と平行に延びかつ有底であってその溝幅方向に二等分され、一方側の溝底には溝の長さ方向に連通する凹条が形成され、
上記柄と上記払拭具の台座とを平行にして、凹条に抜け止め片が正対した状態で、取り付け軸を差込溝に差し込むと、抜け止め片が凹条にはまり込み溝長さ方向に案内されることで、取り付け軸が差込溝を挿通可能となり、ここから柄を払拭具に対して回転させると、抜け止め片により、取り付け軸の差込溝の挿通が阻止されることを特徴とする柄付き払拭具。
【請求項２】
上記柄の先端に、取り付け軸を軸心とする正多角柱状の、弾性変形可能な角度調節部を設け、柄を払拭具に取り付けた状態で、この角度調節部の一周面と台座の板面とがほぼ接するものとし、柄に回転負荷を加えると、前記角度調節部が弾性変形して回転し、前記一周面に隣接する他周面と台座の板面とが接するように構成して、柄の払拭具に対する取り付け角度を調節固定可能とした請求項１に記載の柄付き払拭具。
【発明の詳細な説明】
【技術分野】
【０００１】
この発明は、柄を払拭具に対して着脱可能かつ回動可能に取り付けた、柄付き払拭具に関する。
【背景技術】
【０００２】
スポンジ、タワシ等からなる払拭具について、握って扱いやすいように柄を取り付けたものがよく知られている。
【０００３】
図８に示すように、このような柄付き払拭具２０として、柄２４の先端に、柄２４の両側方向に突出する取り付け軸２５が設けられ、払拭具２１に、板状の台座２２が取り付けられ、この台座２２の板面から対向して突出し、取り付け軸２５を受ける対の軸受２３が設けられたものがある(特許文献1の図５ならびに段落０００２および０００３参照)。
図示のように、この払拭具２１の対の軸受２３の対向面には軸穴２３ａが形成されており、軸受２３間の隙間は柄２４の取り付け軸２５の軸長よりも小さくなっている。
【０００４】
柄２４の払拭具２１への取り付けは、プラスチック等からなる取り付け軸２５を軸受２３外面に押し付けて撓ませ（弾性変形させ）、この撓みにより取り付け軸２５を軸受２３間の隙間に通して、軸の両端部を軸穴２３ａにはめ込むことによる。
また柄２４の払拭具２１からの取り外しも、同様に取り付け軸２５を撓ませて、その両端部を軸穴２３ａから抜き出すことによる。
【０００５】
このように、柄２４が払拭具２１に着脱可能に取り付けられているため、払拭具２１が摩耗劣化した場合には、柄２４を取り外して払拭具２１だけを交換すればよく、資源の無駄遣いにならない。
【０００６】
さらに、柄２４が払拭具２１に対し、取り付け軸２５を回転中心として回動可能となっているため、柄２４の払拭具２１に対する取り付け角度を、持ちやすいように適宜調節することができ、掃除作業の負担が減じられる。
【０００７】
しかし、この種の柄付き払拭具２０においては、上記したように取り付け軸２５を撓み変形させることではめ合わせていたので、柄２４を取り付け、取り外すたびに大きな力が要り、手間がかかる問題がある。
【０００８】
また、このように軸２５の撓みを利用してはめ合わせる場合には、はめ込み深さを大きくするには、それだけ撓み量を大きくする必要がある。
ところが、その一方で、軸２５を過度に撓ませると、軸等が負荷に耐え切れず折損してしまう危険性がある。
そのため、この柄付き払拭具２０においては、はめ込みの深さが、軸２５が撓みで折損しない程度となるように、すなわち、実質上一定以下に制限されていた。
そして、このようにはめ込みが浅い場合、柄２４付き払拭具２１の使用中に、柄２４の取り付け部分に負荷がかかって軸が変形すると、簡単に軸と軸受２３とのはめ合わせが外れてしまい、柄２４の払拭具２１に対する取り付け強度が十分でない問題がある。
【特許文献１】実用新案登録第３０６７３２２号公報
【発明の開示】
【発明が解決しようとする課題】
【０００９】
そこで、この発明の解決すべき課題は、柄付き払拭具について、柄の払拭具への取り付けを容易とし、かつ柄の払拭具への取り付け強度を向上させることである。
【課題を解決するための手段】
【００１０】
上記した課題を解決するため、払拭具と、払拭具に取り付けられる柄とから構成され、前記柄は、その先端部に両側方向に突出する取り付け軸を有し、前記払拭具には、板状の台座が取り付けられ、台座にはその板面から対向して突出する対の軸受が設けられ、この対の軸受の対向面のそれぞれには軸穴が形成され、この軸穴に前記取り付け軸の両端部をはめ込むことにより、柄を払拭具に対して着脱可能かつ回動可能に取り付ける、この発明の柄付き払拭具においては、以下の構成を採用したのである。
【００１１】
すなわち、取り付け軸の外面に抜け止め片を設け、前記軸受の対向面のそれぞれに、軸受周面から軸穴にかけて連通する取り付け軸の差込溝を形成し、柄の払拭具に対する取り付け角度が一定範囲のとき、取り付け軸が差込溝を挿通可能とし、前記一定範囲外のとき、抜け止め片により取り付け軸の差込溝の挿通が阻止されるようにしたのである。
【００１２】
このように構成すると、柄と払拭具とが分離した状態から、柄と払拭具とのなす角度を上記一定範囲に保ちながら、取り付け軸を差込溝に差し込むと、そのまま軸穴まで挿通し、軸の両端を軸穴にはめ込むことが可能となる。
この場合、軸に負荷をかけて撓ませる必要がないため、力が要らず、取り付けが容易である。
【００１３】
同様に、取り付け軸を撓ませる方式と異なって、はめ込み深さの制約がないため、はめ込み深さを従来になく大きくすることができる。
このように、はめ込み深さを大きくできるので、取り付け部分に外力が加わって軸が多少変形しても、柄が払拭具から外れることはなく、取り付け強度を向上させることが可能である。
【００１４】
また、取り付け軸の両端を軸受の軸穴にはめ合わせた後には、取り付け軸を回転中心にして柄を回動させ、柄と払拭具との取り付け角度を上記一定範囲外にすると、抜け止め片により、軸が差込溝を挿通できなくなる。
そのため、取り付け角度を上記一定範囲外に保持しておくと、柄付き払拭具の使用中に、柄が払拭具から外れることはない。
【００１５】
上記抜け止め片は、取り付け軸の端面に形成され、上記差込溝は有底でありこの溝底には溝の長さ方向に連通する凹条が形成され、この凹条と抜け止め片が正対した状態で、取り付け軸を差込溝に差し込むと、抜け止め片が凹条にはまり込み溝長さ方向に案内されることで、取り付け軸が差込溝を挿通可能とするのが好ましい。
このようにすると、正対した状態から取り付け軸を回転させて抜け止め片をずらすと、抜け止め片が凹条にはまり込めなくなるので、抜け止め機能を発揮して取り付け軸が差込溝を非挿通状態となる。
よって、簡単な構造で取り付け軸の差込溝の挿通、非挿通の切り替えを実現することができる。
そして、このように構造が簡単であるから、この柄付き払拭具は耐久性にすぐれ、製造コストも低廉である。
また、抜け止め片は取り付け軸の端面に形成されているため、軸の側周面に形成されている場合と異なり、取り付け軸の回転の障害にならず、柄の回動がスムーズである。
【００１６】
柄の先端に取り付け軸を軸心とする正多角柱状の、弾性変形可能な角度調節部を設け、柄を払拭具に取り付けた状態で、この角度調節部の一周面と台座の板面とがほぼ接するものとし、柄に回転負荷を加えると、前記角度調節部が弾性変形して回転し、前記一周面に隣接する他周面と台座の板面とが接するように構成して、柄の払拭具に対する取り付け角度を調節固定可能にすると、簡単な構造で、柄の取り付け角度調節固定を実現することができる。
このようにすると、安価にして、柄を握りやすい角度に適宜固定することができ、掃除作業がしやすくなる。
【発明の効果】
【００１７】
柄の軸および軸受の差込溝を上記のように構成したので、柄の払拭具への取り付けが容易となり、かつ取り付け強度も向上する。
【発明を実施するための最良の形態】
【００１８】
図１に示す実施例の柄付き払拭具１０は、払拭具１１と、払拭具１１に取り付けられた柄１４とからなり、柄１４を握って払拭具１１を操作し、払拭具１１を浴場の床面等に直接擦り付けることで清掃作業をおこなうものである。
【００１９】
図１から図３のように、払拭具１１は、平面視がほぼ台形のスポンジブロックからなり、その一面には払拭具１１と相似形でやや平面視寸法の小さな平板状の台座１２が取り付けられている。
【００２０】
詳しくは、この台座１２には、その板面からほぼ垂直方向に突出して対向する対の軸受１３が設けられている。
軸受１３は側面視でほぼ半円形をなし、また、軸受１３の対向面（内側面）のそれぞれには、軸受１３と相似形の有底の軸穴１３ａが形成されている。
【００２１】
同じく対向面のそれぞれにおいては、台座１２の板面とほぼ平行に延びる有底の差込溝１３ｂが、軸受１３の弧状をなす周面から軸穴１３ａの上部にかけて連通している。
ここで、差込溝１３ｂは、その溝幅方向に二等分され、台座１２から離れた側の溝底は窪んで凹条１３ｃが形成されている。
ここで、凹条１３ｃを含めた溝の深さは軸穴１３ａの深さとほぼ同じであり、凹条１３ｃを除いた溝の深さは軸穴１３ａの深さよりも浅く形成されている。
【００２２】
また、この対の軸受１３の間において、台座１２の板面は小さく盛り上がり、その頂部はフラットに形成されて、平面視正方形の平台状の当接台１２ａをなしている。
なお、払拭具１１は、スポンジシート(発砲樹脂シート)を平面視台形に打ち抜くことで形成され、台座１２と軸受１３とは、プラスチックにより、一体に成型されている。
【００２３】
つぎに、図１から図３のように、チャンネル型の柄１４は、その後端部にグリップ１４ａが設けられ、その先端部には、チャンネル両側面方向に突出する丸軸状の取り付け軸１５が連設されている。
また、柄１４の先端部は、この取り付け軸１５を軸心とする正多角柱状に形成されて角度調節部１４ｂをなしており、柄１４の払拭具１１への取り付け状態において、この角度調節部１４ｂの周面は、台座１２の当接台１２ａにほぼ当接するようになっている。
【００２４】
この取り付け軸１５は、柄１４の厚み方向に二等分され、柄１４のチャンネル底面に近い側の端面には、半円柱状に突出する抜け止め片１５ａが設けられている。
【００２５】
ここで取り付け軸１５の径は、差込溝１３ｂの溝幅とほぼ等しく、取り付け軸１５の抜け止め片１５ａを含めた軸長は、対向する軸受１３の差込溝１３ｂの凹条１３ｃの底間の距離とほぼ等しく、かつ取り付け軸１５の抜け止め片１５ａを除いた軸長は、対向する軸受１３の差込溝１３ｂの溝底間の距離とほぼ等しくなっている。
なお、この柄１４と取り付け軸１５とは、プラスチックにより一体に成型されており、このためプラスチックからなる角度調節部１４ｂは、弾性変形可能になっている。
【００２６】
柄１４を払拭具１１に取り付ける際には、図２および図４のように、柄１４のチャンネル底面側と払拭具１１の台座１２とを対向させ、柄１４と台座１２とをほぼ平行にして、柄１４の取り付け軸１５を払拭具１１の差込溝１３ｂに差し込む。
すると、軸端面の抜け止め片１５ａが補完形状をなす差込溝１３ｂの凹条１３ｃに正対した状態であるので、抜け止め片１５ａが凹条１３ｃにはまり込み、溝の長さ方向に案内され、取り付け軸１５は、差込溝１３ｂを通じて軸穴１３ａまで挿通する。
そして、取り付け軸１５の両端部は、軸穴１３ａにはまり込むことで、柄１４は払拭具１１に取り付けられる。
【００２７】
このようにして、取り付け軸１５を撓ませることなく、柄１４は払拭具１１に取り付けられるため、力が要らず手間がかからない。
また、差込溝１３ｂを通じて取り付け軸１５を軸穴１３ａにはめ込むので、はめ込みの深さをいくらでも大きくすることができ、柄１４の払拭具１１に対する取り付け強度を向上させることが可能である。
【００２８】
柄付き払拭具１０を使用する際には、この状態から、さらに図３および図４のように、取り付け軸１５を中心として、柄１４を払拭具１１に対して一定角度回転させるとよい。
すると、上記した抜け止め片１５ａが凹条１３ｃと正対した状態からずれるため、取り付け軸１５を差込溝１３ｂに通そうとしても、抜け止め片１５ａが引っかかり、通らなくなる。
このようにして、抜け止め片１５ａが抜け止めとなるため、柄１４が払拭具１１から外れることがない。
【００２９】
ここで、上記のように、柄１４を一定角度回転させる際には、図３および図４のように、柄１４先端の角度調節部１４ｂの一周面と、台座１２の当接台１２ａとが当接した状態から、回転負荷により角度調節部１４ｂが弾性変形することで、隣接する他周面から当接台１２ａに順次当接した状態に移行している。
角度調節部１４ｂの周面と当接台１２ａとが当接した状態で、柄１４の取り付け角度は固定されるため、上記各々の状態で取り付け角度を固定可能となっている。
そしてこのように、柄１４の回転により、固定した取り付け角度を変えることができるようになっている。
そのため、このような簡単な構造で、柄の取り付け角度を任意に調節固定可能である。
【００３０】
この実施例では、抜け止め片１５ａを、取り付け軸１５の端面に１つ設けられた半円柱状の凸部としているが、抜け止め片１５ａの形状、位置、個数等はこれに限られない。
【００３１】
たとえば、図５のように、抜け止め片１５ａを、取り付け軸端面の中心線を通る凸条としてもよい。
この場合、図示のように、凹条１３ｃを差込溝１３ｂの幅方向の中央に設け、柄１４と台座１２とを平行にして、取り付け軸１５を差込溝１３ｂに差し込むと、凹条１３ｃと平行をなす凸条抜け止め片１５ａは、凹条１３ｃにはまり込んで案内される。
また取り付け後に柄１４を回転させると、抜け止め片１５ａが凹条１３ｃと平行となる位置からずれて抜け止めとなる。
【００３２】
また、図６のように、抜け止め片１５ａを取り付け軸１５の端面に偏心状態に設けられた半球状の凸部としてもよい。
図示のように、柄１４と台座１２とが平行をなすとき、半球状抜け止め片１５ａは凹条１３ｃにはまり込んで案内される。
また取り付け後に柄１４を回転させると、抜け止め片１５ａが凹条１３ｃに相対する位置からずれて抜け止めとなる。
さらに、この場合において、抜け止め片１５ａは取り付け軸１５の軸心を通る直線上に複数並列させてもよい。
その際、抜け止め片１５ａの並列方向と差込溝１３ｂの凹条１３ｃの延びる方向を一致させた状態において、取り付け軸１５は差込溝１３ｂを挿通可能となり、正対位置からずれた状態で抜け止めとなる。
このような抜け止め片１５ａとしては、円柱状、角柱状などの形状でもよい。
【００３３】
あるいは、図７のように、抜け止め片１５ａを設ける位置は、取り付け軸１５の端面に限られず、例えば取り付け軸１５の側周面に設けてもよい。
この場合には、差込溝１３ｂには特に凹条１３ｃを設けなくともよく、抜け止め片１５ａを差込溝１３ｂに正対させた状態で取り付け軸１５を差し込むと挿通可能である。
また、この状態から図のように取り付け軸を回転させると、抜け止め片１５ａが抜け止めとなって挿通が阻止される。
【００３４】
なお、抜け止め片１５ａは、柄１４の先端から両側に突出する両側の取り付け軸１５に設けなくともよく、片側の取り付け軸１５のみに設けてもよい。
【００３５】
実施例では、台座１２や柄１４の全体をプラスチックから形成しているが、材質はこれに限られず、金属製、木製等でもよい。
ただし、全体として硬質の材料を用いた場合は、角度調節部１４ｂだけ弾性変形可能な別の材質で形成しておくとよい。
また、実施例では、払拭具１１をスポンジからなるものとしたが、これに限られず、タワシ、不織布等でもよい。
【図面の簡単な説明】
【００３６】
【図１】実施例の柄付き払拭具の全体斜視図
【図２】柄と払拭具の分離状態を示す（ａ）は部分拡大斜視図、（ｂ）は（ａ）の矢印縦断面図
【図３】柄を払拭具に取り付けた状態を示す（ａ）は部分拡大斜視図、（ｂ）は（ａ）の矢印縦断面図
【図４】取り付け軸の取り付け前後の状態を示す部分拡大図
【図５】他の実施例の取り付け軸の取り付け前後の状態を示す部分拡大図
【図６】さらに他の実施例の取り付け軸の取り付け前後の状態を示す部分拡大図
【図７】さらに他の実施例の取り付け軸の取り付け前後の状態を示す部分拡大図
【図８】従来の柄付き払拭具の分解斜視図
【符号の説明】
【００３７】
１０  実施例の柄付き払拭具
１１  払拭具
１２  台座
１２ａ  当接台
１３  軸受
１３ａ  軸穴
１３ｂ  差込溝
１３ｃ  凹条
１４  柄
１４ａ  グリップ
１４ｂ  角度調節部
１５  取り付け軸
１５ａ  抜け止め片
２０  従来の柄付き払拭具
２１  払拭具
２２  台座
２３  軸受
２３ａ  軸穴
２４  柄
２５  取り付け軸
【図１】
0004527751.tif 000002
【図２】
0004527751.tif 000003
【図３】
0004527751.tif 000004
【図４】
0004527751.tif 000005
【図５】
0004527751.tif 000006
【図６】
0004527751.tif 000007
【図７】
0004527751.tif 000008
【図８】
0004527751.tif 000009